(57)【要約】【課題】住宅内への不正な侵入を防止するシステムを提供する。【解決手段】住宅１内の各部屋Ａ，Ｂ，Ｃ，・・・にそれぞれ設置された家電機器（照明Ｌ１，Ｌ２，Ｌ３，・・・、テレビＴＶ１，ＴＶ２，ＴＶ３，・・・、オーディオＡＶ１，ＡＶ２，ＡＶ３，・・・）の使用履歴を表す実績ログがホームサーバ４０のログ記憶手段４１に記憶されている。この実績ログを基にしてサンプルパターン作成部４３がサンプルパターンを作成し、サンプルパターン記憶部４２に記憶する。操作パネル２２等で防犯モードに切替られると、在宅演出システム制御部４４はサンプルパターン記憶部４２からサンプルパターンを取得し、取得したサンプルパターンに従って各家電機器に制御信号を送信する。【選択図】図２
2008148016.tif 000002
【特許請求の範囲】
【請求項１】
住宅内の各部屋に設置された家電機器を制御するシステムにおいて、
当該各家電機器の使用履歴を記憶する記憶手段と、
前記各家電機器と通信可能に接続されて各家電機器を制御する制御手段とを備え、
当該制御手段は、前記記憶手段により記憶された使用履歴での動作を再現するように各家電機器を制御することを特徴とする家電機器制御システム。
【請求項２】
前記使用履歴は、各家電機器の作動状態及び非作動状態の遷移の履歴であり、
前記記憶手段は、前記各家電機器の状態遷移の都度、その時の日時と共に作動／非作動の遷移履歴を記憶することを特徴とする請求項１の家電機器制御システム。
【請求項３】
前記記憶手段は、前記各家電機器の作動／非作動状態の遷移に加え、同家電機器の作動状態下における動作態様を前記使用履歴として記憶することを特徴とする請求項２に記載の家電機器制御システム。
【請求項４】
前記記憶手段は、少なくとも１週間分の前記使用履歴を曜日ごとに記憶し、
前記制御手段は、前記記憶手段により記憶された使用履歴の曜日に合わせて前記家電機器の動作を再現することを特徴とする請求項１乃至３のいずれかに記載の家電機器制御システム。
【請求項５】
前記制御手段は、前記使用履歴が存在していない時間帯において、その使用履歴とは異なる修正使用履歴を作成し、該修正使用履歴により前記家電機器の動作を再現することを特徴とする請求項１乃至４のいずれかに記載の家電機器制御システム。
【請求項６】
前記制御手段は、住宅内の所定区域に属する部屋に設置された家電機器の使用履歴に基づいて前記修正使用履歴を作成することを特徴とする請求項５に記載の家電機器制御システム。
【請求項７】
前記家電機器は照明機器であり、
当該照明機器の点灯又は消灯の要否を示す外部情報を取得する取得手段をさらに備え、
前記制御手段は、前記外部情報に基づき前記照明機器の点灯又は消灯を要する場合に、前記使用履歴とは無関係に前記照明機器を点灯又は消灯することを特徴とする請求項１乃至６のいずれかに記載の家電機器制御システム。
【請求項８】
居住者等が外出していることを判定する手段をさらに備え、
前記制御手段は、居住者等が外出している旨判定された場合に、前記使用履歴に基づいて前記家電機器の動作を再現することを特徴とする請求項１乃至７のいずれかに記載の家電機器制御システム。
【請求項９】
前記記憶手段による使用履歴に基づいて前記各家電機器の電力消費量を算出する電力量算出手段をさらに備えたことを特徴とする請求項１乃至８のいずれかに記載の家電機器制御システム。
【請求項１０】
住宅においてあらかじめ定められた位置に設置され、同住宅内への不正侵入を検知する検知手段をさらに備え、
前記制御手段は、前記検知手段により住宅内への不正侵入が検知された場合に、当該検知手段の設置位置から最も近い部屋に設置されている家電機器の作動を開始させることを特徴とする請求項１乃至９のいずれかに記載の家電機器制御システム。
【請求項１１】
住宅内の各部屋に設置された家電機器との間で通信可能とされ、各家電機器を制御する制御装置であり、
前記各家電機器の使用履歴を記憶している記憶部を備え、
当該記憶部に記憶されている使用履歴での動作を再現するように各家電機器を制御することを特徴とする家電機器制御装置。
【請求項１２】
各部屋に家電機器が設置された住宅であって、
前記各家電機器の使用履歴を記憶する記憶手段と、
前記各家電機器と通信可能に接続されて、前記記憶手段により記憶された使用履歴での動作を再現するように各家電機器を制御する制御手段と、
を備える住宅。
【発明の詳細な説明】
【技術分野】
【０００１】
本発明は、住宅内の各部屋に設置された家電機器を利用して住宅内への不正侵入を防止するシステムに関する。
【背景技術】
【０００２】
居住者の不在時における防犯対策として、住宅内の各部屋に設置された照明機器やオーディオ機器を自動制御で作動させて在宅を装うシステムが知られている（例えば、特許文献１参照）。このシステムでは、照明機器の点灯又は消灯をタイマ設定や外光照度に応じて行ったり、予め録音しておいた生活音をオーディオ機器で一定周期で繰り返し再生することで、住宅内に居住者が存在しているように演出する。
【特許文献１】特開２００３−１１５０８７号公報
【発明の開示】
【発明が解決しようとする課題】
【０００３】
上記従来システムでは、照明機器の点灯又は消灯が一定時刻に行われたり、オーディオ機器による生活音の再生が一定周期で行われる等、在宅演出パターンが単純となりがちである。このため、例えば住宅内への侵入機会を伺うために複数回に亘って下調べする者に、実際には不在であることを見破られる虞も考えられる。
【０００４】
本発明は、初めて住宅を訪れる者のみならず、繰り返し訪れる者に対しても有効に、不正な侵入を防止するシステムを提供することを主たる目的とするものである。
【課題を解決するための手段】
【０００５】
以下、上記課題を解決するのに有効な手段等につき、必要に応じて効果等を示しつつ説明する。なお以下では、理解を容易にするため、発明の実施の形態において対応する構成例を括弧書き等で適宜示すが、この括弧書き等で示した具体的構成に限定されるものではない。
【０００６】
本発明における第１の手段は、住宅内の各部屋に設置された家電機器（照明Ｌ１，Ｌ２，Ｌ３，・・・、テレビＴＶ１，ＴＶ２，Ｔ３，・・・、オーディオＡＶ１，ＡＶ２，ＡＶ３，・・・）を制御する家電機器制御システム（機器制御システム１０）である。本システムは、各家電機器の使用履歴を記憶する記憶手段（在宅演出システム制御部４４、ログ記憶部４１）と、前記各家電機器と通信可能に接続されて各家電機器を制御する制御手段（在宅演出システム制御部４４）とを備える。そして、前記制御手段は、前記記憶手段により記憶された使用履歴での動作を再現するように各家電機器を制御する。
【０００７】
例えば、住宅の居住者の不在時において、住宅内の各部屋に設置された家電機器を自動的に作動させれば、居住者が在宅しているように演出することができる。この場合、上記構成によれば、各家電機器の使用履歴と同様の動作が再現されるため、多様かつ複雑でリアルな演出が可能となり、タイマ設定等による単純な演出パターンに比してより効果的に不正な侵入を防止することができる。なお、ここでいう「住宅」は、戸建て住宅に限らず、集合住宅であってもよい。
【０００８】
前記使用履歴は、各家電機器の作動状態及び非作動状態の遷移の履歴であり、前記記憶手段は、前記各家電機器の状態遷移の都度、その時の日時と共に作動／非作動の遷移履歴を記憶することが好ましい。
【０００９】
この作動／非作動の遷移履歴を利用すれば、各家電機器のスイッチオン状態及びスイッチオフ状態の自動切替制御が可能となり、効果的な在宅演出を実現することができる。
【００１０】
前記記憶手段は、前記各家電機器の作動／非作動状態の遷移に加え、同家電機器の作動状態下における動作態様を前記使用履歴として記憶することが好ましい。例えば、作動対象が照明器具である場合、照明機器の照明強度を使用履歴として記憶する。また、作動対象がテレビである場合、テレビの受信チャンネルを使用履歴として記憶する。
【００１１】
この場合、照明機器の照明強度やテレビの受信チャンネル等を適時変更するような使用履歴が再現されることで、在宅演出が一層現実に近いものとなり、高い効果を奏することとなる。
【００１２】
居住者は曜日ごとに所定の行動（同一の行動）をとることがあると考えられる。そこで、前記記憶手段は、少なくとも１週間分の前記使用履歴を曜日ごとに記憶し、前記制御手段は、前記記憶手段により記憶された使用履歴の曜日に合わせて前記家電機器の動作を再現することが好ましい。この場合、よりリアルな在宅演出が可能となる。例えば、各家電機器の再現制御を実行する曜日が月曜日である場合、既に記憶済みの月曜日の使用履歴を用いて各家電機器の動作を再現する。これにより、在宅演出が一層リアル化される。
【００１３】
その他、居住者の行動が月の上旬・中旬・下旬ごとに決まっていると考えられる場合には、前記記憶手段は、少なくとも１ヶ月分の前記使用履歴を記憶し、前記制御手段は、前記記憶手段により記憶された使用履歴を月の上旬・中旬・下旬ごと用いて前記家電機器の動作を再現することが好ましい。
【００１４】
上記第１の手段において、前記制御手段は、前記使用履歴が存在していない時間帯（すなわち、使用履歴の記憶時において各家電機器が使用されなかった時間帯）において、その使用履歴とは異なる修正使用履歴を作成し、該修正使用履歴により前記家電機器の動作を再現することも可能である。
【００１５】
使用履歴の記憶時において各家電機器が使用されなかった時間帯が存在する場合、その使用履歴に従って家電機器を作動させようとしても家電機器が全く作動しない空白時間帯が生じ、効果的な在宅演出が行われないことも考えられる。このような空白時間帯について、いずれかの家電機器を選択して使用するように使用履歴を修正し、修正された使用履歴に従って家電機器を作動させれば、有効な在宅演出を行うことができる。
【００１６】
なお、修正使用履歴が単純なパターンとならないように、例えば他日の使用履歴を転写する等の調整を行って修正使用履歴を作成し、できるだけランダムなパターンとすることが望ましい。
【００１７】
前記制御手段は、住宅内の所定区域に属する部屋に設置された家電機器の使用履歴に基づいて前記修正使用履歴を作成することが好ましい。
【００１８】
所定区域として、住宅の不正侵入し易い区域や、死角となり易い区域等を設定することができる。例えば、人目に付きにくい建物の裏手は、比較的不正侵入し易いと考えられる。また、複数階の住宅の場合、１階は上階に比して不正侵入し易いと考えられる。この場合、建物の裏手側の部屋や１階の部屋を、所定区域に属する部屋とし、当該部屋内に設置された家電機器の使用履歴に基づいて修正使用履歴を作成するようにすれば、実効性のある修正使用履歴を作成することができる。
【００１９】
前記家電機器が照明機器（照明Ｌ１，Ｌ２，Ｌ３，・・・）である場合、上記第１の手段は、当該各照明機器の点灯又は消灯の要否を示す外部情報（外光センサ２１の照度検知信号、インターネット１００上の気象情報等）を取得する取得手段（通信部４９）をさらに備えることが好ましい。そして、前記制御手段は、前記外部情報に基づき前記照明機器の点灯又は消灯を要する場合に、前記使用履歴とは無関係に照明機器を点灯又は消灯することが好ましい。
【００２０】
居住者等の帰宅が遅く、夜遅くまで照明機器の作動開始（スイッチオン）がなされない場合や、外泊等で全く照明機器が作動されない場合等の使用履歴に従うと、効果的な在宅演出が行われないことになる。そこで、例えば、外光の照度に従って照明機器を自動的に点灯又は消灯させれば、在宅演出に不適当な使用履歴に拘わらず、有効な在宅演出を行うことができる。
【００２１】
居住者等が外出していることを判定する手段をさらに備え、前記制御手段は、居住者等が外出している旨判定された場合に、前記使用履歴に基づいて前記家電機器の動作を再現することが好ましい。この場合、住宅に居住者等が不在となると自動的に在宅演出が行われるため、居住者は安心して外出することができる。
【００２２】
前記記憶手段による使用履歴に基づいて前記各家電機器の電力消費量を算出する電力量算出手段をさらに備えると良い。この場合、電力の消費実態を居住者等が把握することができ、エネルギ収支の管理（エネルギ削減）に役立てることができる。
【００２３】
なお、上記の如く算出された各家電機器の電力消費量に基づいて、月ごとの総電力消費量を算出したり、商用電力の料金を算出したりすることも可能である。
【００２４】
住宅においてあらかじめ定められた位置に設置され、同住宅内への不正侵入を検知する検知手段（窓センサＷＳ１，ＷＳ２，ＷＳ３，・・・、人体センサＢＳ１，ＢＳ２，ＢＳ３，・・・、監視カメラＣ１，Ｃ２，Ｃ３，・・・、玄関ドア施解錠装置５０等）をさらに備えることもできる。この場合、前記制御手段は、前記検知手段により住宅内への不正侵入が検知された場合に、当該検知手段の設置位置から最も近い部屋に設置されている家電機器の作動を開始させるとよい。
【００２５】
ここでいう「不正侵入」とは、居住者自身や来客等の住宅内へ入ることが許された者以外の侵入をいう。不正侵入があった場合、不正侵入が検知された場所に最も近い部屋の家電機器が自動的に作動開始（スイッチオン）される。これにより、あたかも居住者がその部屋に存在するかの如く演出が行われ、侵入者に対して威嚇を行うことができる。これにより、侵入者のそれ以上の侵入を防止することができる。
【００２６】
本発明における第２の手段は、住宅内の各部屋に設置された家電機器（照明Ｌ１，Ｌ２，Ｌ３，・・・、テレビＴＶ１，ＴＶ２，Ｔ３，・・・、オーディオＡＶ１，ＡＶ２，ＡＶ３，・・・）との間で通信可能とされ、各家電機器を制御する家電機器制御装置（ホームサーバ４０）に関するものである。この制御装置は、前記各家電機器の使用履歴を記憶している記憶部（ログ記憶部４１）を備え、当該記憶部に記憶されている使用履歴での動作を再現するように各家電機器を制御する。
【００２７】
第２の手段によれば、家電機器はその使用履歴と同様の動作が再現され、多様かつ複雑でリアルな演出が可能となり、タイマ設定等による単純な演出パターンに比してより効果的に不正な侵入を防止することができる。
【００２８】
本発明における第３の手段は、各部屋に家電機器（照明Ｌ１，Ｌ２，Ｌ３，・・・、テレビＴＶ１，ＴＶ２，Ｔ３，・・・、オーディオＡＶ１，ＡＶ２，ＡＶ３，・・・）が設置された住宅（住宅１）に関するものである。この住宅は、前記各家電機器の使用履歴を記憶する記憶手段（在宅演出システム制御部４４、ログ記憶手段４１）と、前記各家電機器と通信可能に接続されて、前記記憶手段により記憶された使用履歴での動作を再現するように各家電機器を制御する制御手段（在宅演出システム制御部４４）とを備える。
【００２９】
第３の手段によれば、家電機器はその使用履歴と同様の動作が再現されて多様かつ複雑でリアルな演出がなされるため、タイマ設定等による単純な演出パターンに比してより効果的に不正な侵入を防止することができる。
【発明を実施するための最良の形態】
【００３０】
以下に、本発明を具現化した機器制御システムの一実施形態について図面を参照しつつ説明する。
【００３１】
図１は、機器制御システム１０が適用される住宅１の一部の概略図であり、１階に設けられた部屋Ａと、部屋Ａに通じる廊下と、部屋Ａを囲む庭の一部とを示している。図１では、部屋Ａに設置された機器として、照明Ｌ１と、オーディオＡＶ１と、テレビＴＶ１と、窓センサＷＳ１と、警報装置ＡＬ１とが示され、廊下に設置された機器として監視カメラＣ１が示されている。また、庭に設置された機器として、人体センサＢＳ１が示されている。なお、住宅１は２階建ての家屋であり、図１には表されていない他の部屋Ｂ，Ｃ，・・・や廊下・浴室・トイレ等にも、各種機器が設置されている。
【００３２】
図２は、機器制御システム１０の概略ブロック構成図であり、図１で示した機器を含む全体構成を示している。図２に示すように、機器制御システム１０は主として、在宅演出システム２０と、監視システム３０と、ホームサーバ４０と、玄関ドア施解錠装置５０とから構成される。
【００３３】
在宅演出システム２０は、居住者の在宅を演出する処理を実行するために使用される機器を含んで構成され、外光センサ２１と、操作パネル２２と、部屋Ａに設置された照明Ｌ１、テレビＴＶ１及びオーディオＡＶ１と、部屋Ｂに設置された照明Ｌ２と、部屋Ｃに設置された照明Ｌ３、テレビＴＶ２及びオーディオＡＶ２等を備えている。外光センサ２１は、屋外又は屋内に適宜設置され、設置された場所の照度を検知する。操作パネル２２は、防犯モード（在宅演出処理によって機器を自動制御するモード）と在宅モード（居住者の手動で機器の作動開始（スイッチオン）・作動終了（スイッチオフ）が行われるモード）の切替入力を手動で行うために使用される。操作パネル２２は、例えばパーソナルコンピュータや、携帯電話・ＰＤＡ等の端末でも代用可能であり、携帯端末の場合はインターネット１００を介してホームサーバ４０にアクセスすることにより、外出先から切替入力を行うことができる。
【００３４】
なお以下では、居住者がスイッチ等から手動によって直接作動可能な機器を「家電機器」と称する。本実施形態では具体的に、照明Ｌ１，Ｌ２，Ｌ３，・・・と、テレビＴＶ１，ＴＶ２，Ｔ３，・・・と、オーディオＡＶ１，ＡＶ２，ＡＶ３，・・・とが含まれる。
【００３５】
また、監視システム３０は、住宅１内への侵入者を監視する処理を実行するために使用される機器を含んで構成され、上記と同様に各家電機器を備えている。さらに、部屋Ａに設置された窓センサＷＳ１及び警報装置ＡＬ１と、部屋Ｂに設置された窓センサＷＳ２及び警報装置ＡＬ２と、部屋Ｃに設置された窓センサＷＳ３及び警報装置ＡＬ３等と、廊下や庭等の必要箇所に設置された人体センサＢＳ１，ＢＳ２，Ｂ３，・・・と、監視カメラＣ１，Ｃ２，Ｃ３，・・・等を備えている。なお、窓センサＷＳ１，ＷＳ２，ＷＳ３，・・・には、居住者自身が窓の開閉を行うために検知解除スイッチが付されており、スイッチがオン状態とされた場合は検知を行わない。
【００３６】
上記在宅演出システム２０及び監視システム３０に備えられた各機器は、室内ＬＡＮ６０によってホームサーバ４０と相互に信号を送受信可能であり、ホームサーバ４０からの指令信号に従って作動し、また各種信号をホームサーバ４０へ送信する。なお、本実施形態では有線ＬＡＮを採用しているが、例えば電力線通信等の他の有線通信の方式を利用することもできる。あるいは、アンテナを介し、赤外線、Ｂｌｕｅｔｏｏｔｈ（登録商標）、無線ＬＡＮ等の無線方式による通信を行ってもよい。
【００３７】
ホームサーバ４０に備えられた各部は、在宅演出システム２０を制御するために用いられる系統と、監視システム３０を制御するために用いられる系統とに大別される。在宅演出システム２０系統は、ログ記憶部４１と、サンプルパターン記憶部４２と、サンプルパターン作成部４３と、在宅演出システム制御部４４と、カレンダ部４５と、タイマ部４６とを含む。また、監視システム３０系統は、対応場所記憶部４７と、監視システム制御部４８とを含む。なお、通信部４９は、在宅演出システム２０系統及び監視システム３０系統の双方で用いられ各機器との通信を実行する他、インターネット１００への接続を実行する。
【００３８】
在宅演出システム２０系統に含まれるログ記憶部４１は、住宅１に設置されたどの家電機器がいつ使用されたのかの実績ログを日別（曜日情報を含む）に記憶している。各家電機器は、作動している場合は常時、作動中の状態（スイッチオン状態）を示す信号を送信しており、その信号がホームサーバ４０の通信部４９で受信される。すなわち、その信号を受信できなくなった場合はスイッチオフ状態であることがわかるため、ログ記憶部４１にスイッチオン状態及びスイッチオフ状態の遷移の履歴が記憶される。図３は記憶された実績ログの一例を示しており、例えば部屋Ａでは照明Ｌ１が１９：３０〜２３：３０に使用され、テレビＴＶ１が１９：３０〜２１：３０に使用され、オーディオＡＶ１が２２：３０〜２３：３０に使用され、部屋Ｂでは照明Ｌ２が２３：００〜２４：３０に使用され、部屋Ｃでは照明Ｌ４が１８：００〜２４：００に使用され、テレビＴＶ２が２０：００〜２２：３０に使用されたこと等がわかる。なお、記憶される実績ログは１ヶ月分であり、設定期間が経過すると自動で上書消去される。
【００３９】
サンプルパターン記憶部４２は、住宅１に設置されたどの家電機器がいつ使用されるのかのサンプルパターンを記憶している。このサンプルパターンは、ログ記憶部４１に記憶された実績ログ及びカレンダ部４５のカレンダに基づき、サンプルパターン作成部４３が日別に作成したものである。ログ記憶部４１には、１ヶ月分の実績ログが記憶されているのでそれを利用して次月用のサンプルパターンを作成する。この場合「第何週目の何曜日か」によって実績ログとサンプルパターンの該当日を対応させる（例えば、第３週目の金曜日の実績ログは、次月の第３週目の金曜日用サンプルパターンとして利用する）。該当日がなければ、適宜調整を行う（例えば、次月の第４週目の金曜日用サンプルパターンとして利用できる実績ログがなければ、第３週目の金曜日の実績ログを利用する）。
【００４０】
また、「少なくとも１階の１室及び２階の１室で機器が使用されなければならない」というセオリーに従って、実績ログでは機器が使用されなかった空白時間の埋め合わせを行う。例えば、実績ログではいずれの部屋でも機器が使用されなかった日（居住者が１日中不在だった日）でも、他日の実績ログを転写して少なくとも１階の１室と２階の１室で機器が使用されるパターンを作成する。この場合、実績ログを転写する他日の選択については「該当日の前週の同曜日を選択する」等の規則に従い、できるだけ自然な行動パターンとなるように調整することが好ましい。図４は、作成されたサンプルパターンの一例を示しており、この日は部屋Ａ及び部屋Ｃで機器が使用されるパターンとされていることがわかる。
【００４１】
在宅演出システム制御部４４は、カレンダ部４５で認識される該当日に対応するサンプルパターンに従って、タイマ部４６で認識される作動時刻に、各部屋に設置された在宅演出システム２０の各機器を作動させる。
【００４２】
監視システム３０系統に含まれる対応場所記憶部４７は、各機器の設置場所を、各部屋に対応付けて記憶している。例えば、照明Ｌ１、テレビＴＶ１、オーディオＡＶ１、窓センサＷＳ１及び警報装置ＡＬ１は、部屋Ａに対応付けて記憶されている。また、人体センサＢＳ１及び監視カメラＣ１は、夫々の設置場所に最も近い部屋Ａに対応付けて記憶されている。他の機器も同様に、それらが設置されている部屋に対応付けて、あるいは設置場所に最も近い部屋に対応づけて記憶されている。
【００４３】
監視システム制御部４８は、窓センサＷＳ１，ＷＳ２，ＷＳ３，・・・と、人体センサＢＳ１，ＢＳ２，ＢＳ３，・・・と、監視カメラＣ１，Ｃ２，Ｃ３，・・・とからの信号に基づいて侵入者の有無を把握し、侵入者が居ると判断した場合は、警報装置ＡＬ１，ＡＬ２，ＡＬ３，・・・のうち最も適切なものを選択して警報を発生させる。
【００４４】
なお、玄関ドア施解錠装置５０は、居住者に所有される電子キーからの信号に基づいて玄関ドアの施解錠を行うものである。玄関ドア施解錠装置５０で施解錠可能な電子キーは予め登録されており、登録済み電子キーで正常に施解錠が行われた場合にはその信号をホームサーバ４０に送信する。一方、登録済み電子キー以外のキーが玄関ドア施解錠装置５０に差込まれたり、解錠状態を解除せずに（玄関ドア施解錠装置５０を破壊して）玄関ドアが開けられた場合は、その信号もホームサーバ４０に送信され、不正侵入の発生が把握される。
【００４５】
＜在宅演出システム２０の動作＞
次に、機器制御システム１０のうち、在宅演出システム２０の動作について説明する。在宅演出システム２０は、居住者が不在の場合にあたかも在宅であるかのような演出を実行するシステムであり、具体的に演出を実行する機器として家電機器（照明Ｌ１，Ｌ２，Ｌ３，・・・と、テレビＴＶ１，ＴＶ２，・・・と、オーディオＡＶ１，ＡＶ２，・・・）が用意されている。
【００４６】
（１）実績ログの記憶処理
まず、各家電機器の実際の使用履歴を表す実績ログを、ログ記憶部４１に記憶する処理について説明する。図５は、ホームサーバ４０の在宅演出システム２０系統が実行する実績ログ記憶処理を説明するフローチャートである。実績ログ記憶処理は、図５のフローチャート中の一連の処理が所定周期（例えば１分）で繰り返されることにより、継続的に実行される。実績ログ記憶処理では、在宅演出システム制御部４４が、家電機器の作動状態が切替えられたか否かを一つずつ順に判定していき、切替えられたものについてはそのログを記憶する。
【００４７】
すなわち、在宅演出システム制御部４４は、最初に図５のステップＳ１１で、照明Ｌ１の作動状態が切替えられたか否か（前回確認されたスイッチオン状態からスイッチオフ状態に変化したか、又は前回確認されたスイッチオフ状態からスイッチオン状態に変化したか）を判定し、ＹＥＳの場合はステップＳ１２でそのログをログ記憶部４１に記憶し、ＮＯの場合はそのままステップＳ１３に移行する。次に、ステップＳ１３で、テレビＴＶ１の作動状態が切替えられたか否か（前回確認されたスイッチオン状態からスイッチオフ状態に変化したか、又は前回確認されたスイッチオフ状態からスイッチオン状態に変化したか）を判定し、ＹＥＳの場合はステップＳ１４でそのログをログ記憶部４１に記憶し、ＮＯの場合はそのままステップＳ１５に移行する。さらに、ステップＳ１５で、オーディオＡＶ１の作動状態が切替えられたか否か（前回確認されたスイッチオン状態からスイッチオフ状態に変化したか、又は前回確認されたスイッチオフ状態からスイッチオン状態に変化したか）を判定し、ＹＥＳの場合はステップＳ１６でそのログをログ記憶部４１に記憶し、ＮＯの場合はそのまま次のステップに移行する。同様の処理を、各家電機器について順に実行し、作動状態が切替えられたものについてはそのログを記憶していく。
【００４８】
上記一連の実績ログ記憶処理が終了すると、再びステップＳ１１に戻って一連の処理が繰り返されることにより、継続的に実績ログ記憶処理が実行される。
【００４９】
以上のように記憶された実績ログに基づいて、サンプルパターン作成部４３がサンプルパターンを作成する。作成されたサンプルパターンは、サンプルパターン記憶部４２に記憶される。
【００５０】
（２）照明Ｌ１，Ｌ２，Ｌ３，・・・を作動させる処理
次に照明Ｌ１，Ｌ２，Ｌ３，・・・を作動させる処理について説明する。図６は、ホームサーバ４０の在宅演出システム２０系統が実行する照明の在宅演出処理を説明するフローチャートである。
【００５１】
最初に、在宅演出システム制御部４４が、玄関ドア施解錠装置５０からの施錠信号又は操作パネル２２からの防犯モード切替信号の入力があるまで待機する（ステップＳ２１）。玄関ドアが施錠されたり、防犯モードに切替られたりするのは、居住者が外出する場合である（ステップＳ２１でＹＥＳ）。この場合は、在宅演出を実行するために、サンプルパターン記憶部４２から当日のサンプルパターン（登録済みパターン）を取得する。例えば、図４に例示するサンプルパターンを取得する。このサンプルパターンでは、部屋Ａの照明Ｌ１は２０：００〜２３：３０に点灯し、部屋Ｃの照明Ｌ３は１８：００〜２２：３０に点灯することとなっている。
【００５２】
続くステップＳ２３の各照明制御処理は、照明ごとに実行される処理である。すなわち、図４に例示するサンプルパターンでは、照明Ｌ１及び照明Ｌ３ごとに実行される。各照明制御処理について、図７のフローチャートを参照して、現時点１８：００以降の動作を説明する。
【００５３】
・照明Ｌ１について実行される処理
図７のステップＳ２３１では、サンプルパターンで照明を消灯する時刻か否かを判定する。図４に例示するサンプルパターンでは、照明Ｌ１については２３：３０が消灯時刻であり、現時点１８：００ならＮＯと判定され、ステップＳ２３２に移行する。そしてステップＳ２３２では、サンプルパターンで照明を点灯する時刻か否かを判定する。図４に例示するサンプルパターンでは、照明Ｌ１については２０：００が点灯時刻であり、現時点１８：００ならＮＯと判定され、ステップＳ２３３に移行する。
【００５４】
ステップＳ２３３では、外部情報による照明点灯時刻か否かを判定する。ここでいう外部情報とは、外光センサ２１から送信される照度検知信号又はインターネット１００から取得した気象情報（日没時刻、雨天等の情報）であり、これらの情報によって照明点灯が必要な時刻か否かが判定される。例えば、現時点１８：００で外光センサ２１からの信号により照明点灯が必要と判定された場合は（ステップＳ２３３でＹＥＳ）、ステップＳ２３４で照明Ｌ１に対する点灯信号を送信する。これにより、照明Ｌ１が点灯し、各照明制御処理を終了して図６のステップＳ２４に移行する。一方、ステップＳ２３３で照明点灯は不要と判定された場合は（ステップＳ２３３でＮＯ）、各照明制御処理を終了し図６のステップＳ２４に移行する。
【００５５】
・照明Ｌ３について実行される処理
ステップＳ２３１では、サンプルパターンで照明を消灯する時刻か否かを判定する。図４に例示するサンプルパターンでは、照明Ｌ３については２２：３０が消灯時刻であり、現時点１８：００ならＮＯと判定され、ステップＳ２３２に移行する。そしてステップＳ２３２では、サンプルパターンで照明を点灯する時刻か否かを判定する。図４に例示するサンプルパターンでは、照明Ｌ３については１８：００が点灯時刻であり、現時点１８：００ならＹＥＳと判定され、ステップＳ２３４で照明Ｌ３に対する点灯信号を送信する。これにより、照明Ｌ３が点灯し、各照明制御処理を終了して図６のステップＳ２４に移行する。
【００５６】
図６のステップＳ２４では、玄関ドア施解錠装置５０からの解錠信号又は操作パネル２２からの在宅モード切替信号の入力があったか否かを判定する。すなわち、住宅１の居住者が帰宅したか否かを判定する。未だ帰宅が把握されずステップＳ２４でＮＯと判定された場合は、ステップＳ２３に戻り、各照明制御処理に移行する。照明Ｌ１及び照明Ｌ３が点灯された後は、ステップＳ２３１においてサンプルパターンで照明を消灯する時刻か否かを判定し、照明Ｌ１については２３：３０になったときにステップＳ２３４に移行して照明Ｌ１に対する消灯信号を送信し、照明Ｌ３については２２：３０になったときにステップＳ２３４に移行して照明Ｌ３に対する消灯信号を送信する。これにより、照明Ｌ１及びＬ３が消灯され、夜中ずっと照明が点灯しているという不自然な現象が回避される。
【００５７】
一方、図６のステップＳ２４でＹＥＳと判定され居住者の帰宅が把握された場合は、ステップＳ２５に移行して在宅モードへの切替えを実施する。これにより、在宅演出処理が終了し、居住者の手動によって照明Ｌ１，Ｌ３等の点灯消灯が行われることとなる。
【００５８】
以上の照明在宅演出処理では、実績ログに基づいたサンプルパターンに従って照明を作動させるため、在宅演出のパターンの単純化が防止される。また、外部情報によって照明点灯が必要とされた場合は、実績ログに拘わらず点灯を行うため、暗くなっても照明が点灯しないといった不都合が回避される。
【００５９】
（３）テレビＴＶ１，ＴＶ２，・・・と、オーディオＡＶ１，ＡＶ２，・・・とを作動させる処理
次に、在宅演出システム２０において、テレビＴＶ１，ＴＶ２，・・・と、オーディオＡＶ１，ＡＶ２，・・・とを作動させる処理について説明する。この処理も、ホームサーバ４０の在宅演出システム２０系統が実行する。
【００６０】
最初にホームサーバ４０の在宅演出システム制御部４４が、玄関ドア施解錠装置５０からの施錠信号又は操作パネル２２からの防犯モード切替信号の入力を把握すると、在宅演出処理を実行するためにサンプルパターン記憶部４２からサンプルパターンを取得する。図４に例示するサンプルパターンでは、部屋ＡのオーディオＡＶ１については２２：３０〜２３：３０にオン状態であり、部屋ＣのテレビＴＶ２については２０：００〜２２：３０にオン状態である。このパターンに従って、オーディオＡＶ１に対して２２：３０にスイッチオン信号を送信し、２３：３０にスイッチオフ信号を送信する。また、テレビＴＶ２に対して２０：００にスイッチオン信号を送信し、２２：３０にスイッチオフ信号を送信する。
【００６１】
以上の処理では、実績ログに基づいたサンプルパターンに従ってテレビやオーディオを作動させるため、在宅演出のパターンの単純化が防止される。また、サンプルパターンでは実績ログにおける空白時間が埋め合わされているため、想定される活動時間帯に家電機器が全く作動しない時間が生じることもない。
【００６２】
＜監視システム３０の動作＞
次に、機器制御システム１０のうち、監視システム３０の動作について説明する。監視システム３０は、住宅１の内に不正に侵入する者を監視するシステムであり、居住者の在宅時・外出時に拘わらず常時処理を実行する。図８は、ホームサーバ４０の監視システム３０系統が実行する監視処理を説明するフローチャートである。
【００６３】
図８のステップＳ３１において、ホームサーバ４０の監視システム制御部４８は、侵入情報の入力があるか否かを常時監視している。すなわち、窓センサＷＳ１，ＷＳ２，Ｗ３，・・・及び人体センサＢＳ１，ＢＳ２，ＢＳ３，・・・からの侵入検知信号や、監視カメラＣ１，Ｃ２，Ｃ３，・・・からの侵入映像や、玄関ドア施解錠装置５０からの不正解錠信号のうち、いずれか一つでも入力されないか否かを監視している。
【００６４】
入力があった場合は（ステップＳ３１でＹＥＳ）、その信号又は映像の送信元となった機器の設置場所に対応する部屋を、対応場所記憶部４７から取得する（ステップＳ３２）。例えば、送信元が人体センサＢＳ１であれば、それに対応付けられた部屋Ａを取得する。
【００６５】
次いでステップＳ３３では、その時点で防犯モードとなっているか否かを確認する。防犯モードとなっている場合は（ステップＳ３３でＹＥＳ）、ステップＳ３６に移行し、対応場所の家電機器に対するオン信号及び警報装置に対する警報開始信号を送信すると共に、インターネットへ不正侵入があった旨の情報を送信する。これにより、不正侵入者に近い場所、すなわち前述の例では部屋Ａで照明Ｌ１、テレビＴＶ１及びオーディオＡＶ１のスイッチが入ると共に警報装置ＡＬ１から警報が発生し、それ以上の侵入を防止することができる。また、外出中の居住者は携帯電話やＰＤＡ等の端末において、住宅１の部屋Ａ（又は部屋Ａ近傍）で不正侵入があったのかを知ることができるため、住宅１の電話へダイアルして電話音を発生させたり、予め録音しておいた音声（居住者の声、番犬の声等）をオーディオＡＶ１から自動再生させたり、警察へ通報する等の対処を行うことができる。
【００６６】
一方、ステップＳ３３で、防犯モードでない（在宅モードである）ことが確認された場合は（ステップＳ３３でＮＯ）、対応場所で家電機器の作動があるか否かを確認する（ステップＳ３４）。例えば部屋Ａの場合、照明Ｌ１、テレビＴＶ１及びオーディオＡＶ１のいずれかが作動されているか否かを確認する。いずれかが作動されていることが確認された場合は（ステップＳ３４でＹＥＳ）、居住者がその対応場所に居ることを示すので、対応場所の警報装置に対する作動信号を送信する（ステップＳ３８）。例えば部屋Ａでは警報装置ＡＬ１から警報が発生し、不正侵入があったことが居住者に報知される。
【００６７】
一方、ステップＳ３４において、対応場所で家電機器の作動がないと確認された場合は（ステップＳ３４でＮＯ）、不正侵入が行われた場所と異なる場所に居住者が居るはずである。その場所の探索手法として、家電機器が作動している場所があるか否かを確認する（ステップＳ３５）。例えばステップＳ３２で部屋Ａが対応場所として取得された場合、部屋Ｃで照明Ｌ３が点灯していれば、ステップＳ３５でＹＥＳと判定される。この場合は、ステップＳ３７で、対応場所の家電機器に対するオン信号及び警報装置に対する警報開始信号を送信すると共に、家電機器の作動場所の警報装置に対する警報開始信号を送信する。前述の例では、部屋Ａの照明Ｌ１、テレビＴＶ１及びオーディオＬ１のスイッチが入ると共に警報装置ＡＬ１から警報が発生し、それ以上の侵入を防止することができる。また、部屋Ｃでも警報装置ＡＬ３から警報が発生し、居住者は不正侵入があったことを知ることができる。
【００６８】
以上のように、不正侵入に対する防止措置及び居住者に対する報知が行われると、ステップＳ３９では、侵入情報が消滅したか否かが確認される。この場合、侵入者が住宅１から退出していればＹＥＳと判定されるが、未だ退出していない場合はＮＯと判定され、ステップＳ３２に戻って一連の処理が繰り返される。これにより、侵入者の移動に伴って家電機器の作動及び警報が行われる部屋も移動することとなる。
【００６９】
以上の監視処理では、不正な侵入が行われた部屋（又は不正侵入が行われた場所に最も近い部屋）に居住者が居なくても、家電機器が自動的に作動開始し警報が発生するため、それ以上の侵入が効果的に防止される。また、居住者が住宅内・外出先のどこに居ても侵入情報が報知されるため、素早く対処することができる。
【００７０】
なお、以上説明した実施の形態に限らず、例えば以下に別例として示した形態で実施することもできる。
【００７１】
・上記実施の形態では、実績ログ（使用履歴）として、各家電機器が作動された日及び時間帯のみを記録していたが、例えば照明であれば照明強度の情報、テレビであれば受信チャンネルの情報等をログ（使用履歴）として記録してもよい。これにより、在宅演出がよりリアル化されると共に、各機器の異常発生の把握や、使用傾向の分析等を行うことができる。
【００７２】
・実績ログ（使用履歴）に基づいて各家電機器の電力消費量を算出する電力量算出部をさらに備えると良い。また、電力量算出部が、月ごとの総電力消費量を算出したり、商用電力の料金を算出したりすると良い。部屋単位で電力消費量をモニタしたり、どの電気機器（照明機器、テレビ等）の使用頻度が高いかなどをモニタしたりすることも可能である。さらに、これらの電力量情報を、住宅内のディスプレイ装置等に適宜表示させるようにしても良い。この場合、電力の消費実態を居住者等が把握することができ、エネルギ収支の管理（エネルギ削減）に役立てることができる。
【００７３】
・上記実施の形態では、各家電機器は、作動中の状態（スイッチオン状態）を示す信号を常時ホームサーバ４０に送信していたが、例えば各家電機器にスイッチオン状態及びスイッチオフ状態の遷移を示すログを一時的に記憶しておいて、所定期間ごとにホームサーバ４０に送信するようにしてもよい。
【００７４】
・上記実施の形態では、ホームサーバ４０のログ記憶部４１は、１か月分の実績ログを記憶していたが、実績ログを有効に利用できる期間であれば３か月分、半年分、１年分あるいは１週間分等、いずれの期間であってもよい。
【００７５】
・上記実施の形態では、サンプルパターンに基づいてオーディオＡＶ１，ＡＶ２，ＡＶ３，・・・のスイッチオン・スイッチオフ制御をしていたが、これらオーディオの音声再生機能を利用して予め録音しておいた生活音（足音、洗濯機・冷蔵庫等の作動音、給排水音等）を再生するようにしてもよい。これにより、よりリアルな在宅演出が可能となる。
【図面の簡単な説明】
【００７６】
【図１】機器制御システム１０が適用される住宅１の一部の概略図。
【図２】機器制御システム１０の概略ブロック構成図。
【図３】実績ログの一例を示す図。
【図４】サンプルパターンの一例を示す図。
【図５】実績ログ記憶処理を説明するフローチャート。
【図６】照明の在宅演出処理を説明するフローチャート。
【図７】各照明制御処理を説明するフローチャート。
【図８】監視処理を説明するフローチャート。
【符号の説明】
【００７７】
１…住宅、１０…機器制御システム、２０…在宅演出システム、２１…外光センサ、２２…操作パネル、３０…監視システム、４０…ホームサーバ、４１…ログ記憶部、４２…サンプルパターン記憶部、４３…サンプルパターン作成部、４４…在宅演出システム制御部、４５…カレンダ部、４６…タイマ部、４７…対応場所記憶部、４８…監視システム制御部、４９…通信部、５０…玄関ドア施解錠装置、Ｌ１，Ｌ２，Ｌ３…照明、ＴＶ１，ＴＶ２…テレビ、ＡＶ１，ＡＶ２…オーディオ、ＷＳ１，ＷＳ２，ＷＳ３…窓センサ、ＡＬ１，ＡＬ２，ＡＬ３…警報装置、ＢＳ１，ＢＳ２，ＢＳ３…人体センサ、Ｃ１，Ｃ２，Ｃ３…監視カメラ。
【図１】
2008148016.tif 000003
【図２】
2008148016.tif 000004
【図３】
2008148016.tif 000005
【図４】
2008148016.tif 000006
【図５】
2008148016.tif 000007
【図６】
2008148016.tif 000008
【図７】
2008148016.tif 000009
【図８】
2008148016.tif 000010